(57)【要約】【課題】通常のテレビカメラの画像以外に高画質の静止画像やハイビジョン画像などを提供する場合は、それぞれ専用のテレビカメラが必要であった。【解決手段】テレビカメラ本体に装着されたズームレンズの複数のレンズ群の所定のレンズ間位置に配設された、被写体を撮像した光学像を前記テレビカメラ本体の撮像素子に結像する光束は透過し、かつ被写体を撮像した光学像を前記ズームレンズの外部所定位置に装着された多機能カメラの撮像素子に結像する光束を前記テレビカメラ本体とは異なる方向へ反射する分光プリズムを備え、前記多機能カメラが、静止画用又はハイデフィニションテレビジョン用又は赤外光用の撮像素子を備えたテレビカメラで、該テレビカメラから出力された映像信号の出力端子と、前記テレビカメラの画像データを着脱自在な記録媒体に録画・再生できる録画再生手段とを備えている。【選択図】  図１
2004304359.tif 000002
【特許請求の範囲】
【請求項１】
テレビカメラ本体に装着され被写体を撮像する複数のレンズ群で構成されたズームレンズにおいて、
前記ズームレンズの複数のレンズ群の所定のレンズ間位置に配設された、被写体を撮像した光学像を前記テレビカメラ本体の撮像素子に結像する光束は透過し、かつ被写体を撮像した光学像を前記ズームレンズの外部所定位置に装着された多機能カメラの撮像素子に結像する光束を前記テレビカメラ本体とは異なる方向へ反射する分光プリズムを備え、
前記多機能カメラが、静止画用又はハイデフィニションテレビジョン用又は赤外光用の撮像素子を備えたテレビカメラで、該テレビカメラから出力された映像信号の出力端子と、前記テレビカメラの画像データを着脱自在な記録媒体に録画・再生できる録画再生手段とを備えてなることを特徴とする多機能カメラ付ズームレンズ。
【請求項２】
テレビカメラに装着され被写体を撮像する複数のレンズ群で構成されたズームレンズにおいて、
前記ズームレンズ複数のレンズ群の所定のレンズ間位置に配設された、被写体を撮像した光学像を前記テレビカメラ本体の撮像素子に結像する光束は通過し、かつ被写体を撮像した光学像を前記ズームレンズの外部所定位置に装着された多機能カメラの撮像素子に結像する光束を前記テレビカメラ本体とは異なる方向へ反射する移動手段を有する全反射ミラーを備え、
前記多機能カメラが、静止画用又はハイデフィニションテレビジョン用又は赤外光用の撮像素子を備えたテレビカメラで、該テレビカメラから出力された映像信号の出力端子と、前記テレビカメラの画像データを着脱自在な記録媒体に録画・再生できる録画再生手段とを備えてなることを特徴とする多機能カメラ付ズームレンズ。
【請求項３】
前記多機能カメラが、さらにそのカメラ筐体に超小型マイクロフォンを備え、前記記録媒体へ録画時に同時に音声を収録する音声収録手段を備えてなることを特徴とする請求項１又は２に記載の多機能カメラ付ズームレンズ。
【請求項４】
前記多機能カメラが、さらに前記記録媒体に記録された画像データ及び音声データを出力するための信号処理手段と、外部通信のためのインターフェース用コネクタとを備えてなることを特徴とする請求項１〜３のいずれか１項に記載の多機能カメラ付ズームレンズ。
【請求項５】
前記多機能カメラが、さらにその筐体に着脱自在な電池パックを備えてなることを特徴とする請求項１〜４のいずれか１項に記載の多機能カメラ付ズームレンズ。
【請求項６】
前記多機能カメラ付ズームレンズが、さらにジャンクションユニットを備え、
前記ジャンクションユニットが、前記テレビカメラ本体とビューファインダ間、前記テレビカメラ本体とズームレンズ間をそれぞれケーブル及びコネクタで中継し、かつ多機能カメラ用ケーブルが接続され、前記テレビカメラ本体からの電源の供給と、同期信号の授受と、前記記録媒体に対する録画・再生・停止等手段と、前記ビューファインダ及び外部へ送出する映像信号切替手段とを備えてなることを特徴とする請求項１〜５のいずれか１項に記載の多機能カメラ付ズームレンズ。
【請求項７】
前記映像信号切替手段が、前記全反射ミラーの移動手段により前記多機能カメラの撮像素子に結像する光束を前記テレビカメラ本体とは異なる方向へ反射するミラー位置に全反射ミラーを切り替えた時、多機能カメラの映像信号を優先して送出する機能を備えてなることを特徴とする請求項６に記載の多機能カメラ付ズームレンズ。
【発明の詳細な説明】
【０００１】
【発明の属する技術分野】本発明は、放送用又は業務用テレビカメラのズームレンズに係わり、詳しくはズームレンズを装着したテレビカメラ本体の画像とは別な画像が送出できる多機能カメラ付ズームレンズに関する。
【０００２】
【従来の技術と発明が解決しようとする課題】放送用又は業務用テレビカメラなどでは、３ピースタイプ色分解プリズムを使用し、従来より高画素数の撮像素子を使用（Ｒ，Ｇ，Ｂ画素合致方式）したり、又は高画素数の撮像素子をＧチャンネルのＣＣＤに対しＢ，ＲチャンネルのＣＣＤを水平方向に半画素分ずらし、いわゆる空間画素ずらし手法で色分解プリズムに張り付け高解像度化を図っている。
また、テレビカメラに使用するズームレンズも高倍率化、高画質化が進み用途に応じて多彩なズームレンズが供給されている。
【０００３】
テレビカメラの小型化が進み、報道番組又はドキュメンタリー番組等に多数のポータブル型テレビカメラが使用され、あらゆる所から中継画面が送られてきている。
しかし、ニュース番組等では一刻でも早く状況を伝えるべく静止画を電子メールで送付したり、さらに高画質のハイデフィニションテレビジョン画像を要求されたりすることが多くなっている。
一方、動物の生態など昼間の撮影は通常のテレビカメラで十分であるが、夜間の撮影には特殊な超高感度カメラが要求される場合が多い。
【０００４】
このような要望に対し、通常のテレビカメラの、例えばＮＴＳＣ方式のカラー画像を録画機器を用いて静止画として取り出すこともできるが、画質の低下は避けられない。
また、高画質の映像信号を基地局へ送出するためには、パラボラアンテナを使用する大がかりな送受信機を使用して送信しなければならない。
さらに、一部の画像に高画質のハイデフィニションテレビジョンカメラを用意したり、夜間撮影のために超高感度カメラを別に準備するなど取材のための機材が大がかりになり、スタッフの人数も増やさなければならない。
【０００５】
このため、本発明では、通常のテレビカメラに使用するズームレンズに分光プリズム又は移動手段を備えた全反射ミラーを組み込み、透過光又は通過光はテレビカメラ本体の撮像素子に結像して標準方式の画像信号とし、反射光はズームレンズ外部に装着した多機能カメラの撮像素子に結像する。前記多機能カメラは、それぞれ静止画像、ハイデフィニションテレビジョン画像又は赤外光による暗視画像を出力する専用カメラとし、かつ着脱自在な記録媒体に記録再生手段で録画し、携帯電話機を接続した携帯情報端末に前記記録媒体を装填し電子メールとして送信できる多機能カメラ付ズームレンズを提供する。
【０００６】
【課題を解決するための手段】本発明者は，上記に鑑み鋭意研究の結果，次の手段によりこの課題を解決した。
（１）テレビカメラ本体に装着され被写体を撮像する複数のレンズ群で構成されたズームレンズにおいて、
前記ズームレンズの複数のレンズ群の所定のレンズ間位置に配設された、被写体を撮像した光学像を前記テレビカメラ本体の撮像素子に結像する光束は透過し、かつ被写体を撮像した光学像を前記ズームレンズの外部所定位置に装着された多機能カメラの撮像素子に結像する光束を前記テレビカメラ本体とは異なる方向へ反射する分光プリズムを備え、
前記多機能カメラが、静止画用又はハイデフィニションテレビジョン用又は赤外光用の撮像素子を備えたテレビカメラで、該テレビカメラから出力された映像信号の出力端子と、前記テレビカメラの画像データを着脱自在な記録媒体に録画・再生できる録画再生手段とを備えてなることを特徴とする多機能カメラ付ズームレンズ。
【０００７】
（２）テレビカメラに装着され被写体を撮像する複数のレンズ群で構成されたズームレンズにおいて、
前記ズームレンズ複数のレンズ群の所定のレンズ間位置に配設された、被写体を撮像した光学像を前記テレビカメラ本体の撮像素子に結像する光束は通過し、かつ被写体を撮像した光学像を前記ズームレンズの外部所定位置に装着された多機能カメラの撮像素子に結像する光束を前記テレビカメラ本体とは異なる方向へ反射する移動手段を有する全反射ミラーを備え、
前記多機能カメラが、静止画用又はハイデフィニションテレビジョン用又は赤外光用の撮像素子を備えたテレビカメラで、該テレビカメラから出力された映像信号の出力端子と、前記テレビカメラの画像データを着脱自在な記録媒体に録画・再生できる録画再生手段とを備えてなることを特徴とする多機能カメラ付ズームレンズ。
【０００８】
（３）前記多機能カメラが、さらにそのカメラ筐体に超小型マイクロフォンを備え、前記記録媒体へ録画時に同時に音声を収録する音声収録手段を備えてなることを特徴とする多機能カメラ付ズームレンズ。
【０００９】
（４）前記多機能カメラが、さらに前記記録媒体に記録された画像データ及び音声データを出力するための信号処理手段と、外部通信のためのインターフェース用コネクタとを備えてなることを特徴とする前項（１）〜（３）のいずれか１項に記載の多機能カメラ付ズームレンズ。
（５）前記多機能カメラが、さらにその筐体に着脱自在な電池パックを備えてなることを特徴とする前項（１）〜（４）のいずれか１項に記載の多機能カメラ付ズームレンズ。
【００１０】
（６）前記多機能カメラ付ズームレンズが、さらにジャンクションユニットを備え、
前記ジャンクションユニットが、前記テレビカメラ本体とビューファインダ間、前記テレビカメラ本体とズームレンズ間をそれぞれケーブル及びコネクタで中継し、かつ多機能カメラ用ケーブルが接続され、前記テレビカメラ本体からの電源の供給と、同期信号の授受と、前記記録媒体に対する録画・再生・停止等手段と、前記ビューファインダ及び外部へ送出する映像信号切替手段とを備えてなることを特徴とする前項（１）〜（５）のいずれか１項に記載の多機能カメラ付ズームレンズ。
【００１１】
（７）前記映像信号切替手段が、前記全反射ミラーの移動手段により前記多機能カメラの撮像素子に結像する光束を前記テレビカメラ本体とは異なる方向へ反射するミラー位置に全反射ミラーを切り替えた時、多機能カメラの映像信号を優先して送出する機能を備えてなることを特徴とする前項（６）に記載の多機能カメラ付ズームレンズ。
【００１２】
【発明の実施の形態】本願発明の実施の形態は、テレビカメラに装着され被写体を撮像する複数のレンズ群で構成されたズームレンズにおいて、前記ズームレンズの複数のレンズ群の所定のレンズ間位置に配設された分光プリズム又は移動手段を有する全反射ミラーを備えて、被写体を撮像した光学像を前記テレビカメラ本体の撮像素子に結像する光束を透過又は通過し、かつ前記ズームレンズの外部所定位置に装着された多機能カメラの撮像素子に結像する光束を前記テレビカメラ本体とは異なる方向へ反射している。
【００１３】
前記多機能カメラとして、例えば、１００〜５００万画素のＣＣＤ等撮像素子を使用した静止画用テレビカメラで、かつ該テレビカメラから出力された画像データを着脱自在な記録媒体である、例えば、メモリカードに録画・再生できる録画再生手段を備えている。
したがって、この前記メモリカードに録画し、携帯電話機を接続したノート型パソコン又は携帯情報端末ＰＤＡ（Ｐｅｒｓｏｎａｌ  Ｄｉｇｉｔａｌ  Ａｓｓｉｓｔａｎｔ）に前記メモリカードを装填し電子メールとして基地局等へ送信できる。
【００１４】
前記多機能カメラ付ズームレンズが、さらにズームレンズ本体又は従来のテレビカメラ本体等に取付可能なジャンクションユニットを備えていて、前記ジャンクションユニットは、前記テレビカメラ本体とビューファインダ間、前記テレビカメラ本体とズームレンズ間をそれぞれケーブル及びコネクタで中継し、かつ多機能カメラ用ケーブルが接続され、前記テレビカメラ本体からの電源の供給と、同期信号の授受と、前記メモリカードの録画・再生・停止等手段及び前記ビューファインダと外部へ送出する映像信号切替手段を備えている。
【００１５】
また、前記多機能カメラとして、例えば、２００万画素のＣ−ＭＯＳを使用したハイデフィニションテレビジョン（以降、ＨＤＴＶと記述）用動画像を出力できる単板又は３板式カラーカメラとしたり、さらに、分光プリズム又は移動手段を備えた全反射ミラーと組み合わせ赤外光用の撮像素子を備えたカメラとすることもできる。
【００１６】
【実施例】本願発明の実施例を図面に基づいて説明する。
図１は本願発明実施例１の分光プリズムを備えた多機能カメラ付ズームレンズの概略図であり、図２は同発明実施例の多機能カメラの回路ブロック図であり、図３は同発明実施例のジャンクションユニットと他機器とのケーブル接続図であり、図４は同発明実施例２の全反射ミラーを備えた多機能カメラ付ズームレンズの概略図である。
図において、１は多機能カメラ付ズームレンズ、２はテレビカメラ本体、３は色分解プリズム、４は分光プリズム、５は撮像素子、６は多機能カメラ、７は撮像素子、８はリレーレンズ、９は直角プリズム、１０はメモリカードスロット、１１は映像信号処理手段、１２は録画再生手段、１３は出力端子、１４はインターフェース用コネクタ、１５は電池パック、１６は超小型マイクロフォン、１７はデータ信号処理手段、１８は回転軸、１９ａは全反射ミラーの第１の位置、１９ｂは全反射ミラーの第２の位置、２１はズーム制御ＢＯＸ、２２はジャンクションユニット、２３はビューファインダ、２４はレンズ用入力コネクタ、２５はレンズ中継用出力コネクタ、２６は多機能カメラ出力コネクタ、２７は多機能カメラ入力コネクタ、２８はＶＦ入力コネクタ、２９はＶＦ中継用出力コネクタ、３０はＶＦ用出力コネクタ、３１はＶＦ中継用入力コネクタ、３２はレンズ用出力コネクタ、３３はレンズ中継用入力コネクタ、３４は映像出力コネクタ、３５は映像入力コネクタ、３６はトリガースイッチコネクタ、３７はトリガースイッチＢＯＸ、を示す。
【００１７】
［実施例１］
図１において、色分解プリズム３を備えたテレビカメラ本体２の被写体側に図示しないレンズマウントに装着された多機能カメラ付ズームレンズ１は、大きく分けて、前玉側から第１群として被写体にピントを合わせるためのフォーカシングレンズ群、第２及び３群として像の大きさを変えるためのバリエータレンズ群、第４群としてピントのずれを補正するコンペンセータレンズ群、第５群として固定したリレーレンズ群等の複数のレンズ群で構成されている。
【００１８】
ここで、放送用又は業務用のズームレンズでは第４群と第５群のレンズ群間は大きなスペースをあけるように設計されていることが多く、このスペースに本来のズームレンズの焦点距離を望遠側へシフトするために図示しない焦点距離変換レンズ群を挿入した方式が多い。
【００１９】
本実施例では、この第４群と第５群のレンズ群間の大きなスペースを利用して分光プリズム４を配置し、被写体を撮像した光学像を前記テレビカメラ本体２の撮像素子５に結像する光束を透過し、かつ被写体を撮像した光学像を前記ズームレンズの外部所定位置に装着された多機能カメラ６の撮像素子７に結像する光束を前記テレビカメラ本体２とは異なる方向へ分離している。
【００２０】
放送用、業務用又は高精細計測用テレビカメラなどでは、３ピースタイプ色分解プリズム光学系を使用して固体撮像素子をその射出面に固着している例が多いが、このようなテレビカメラ本体２に使用されるズームレンズは、テレビカメラ本体２側に使用している色分解プリズム３光学系を含めて軸上色収差、倍率色収差及びディストーション等々について厳密に補正され、高画質な光学像を撮像素子５上に結像している。
【００２１】
このため、多機能カメラ６用光学系として、前記第５群として固定したリレーレンズ群と同様な構成、形状及び材質のリレーレンズ８と、同じくテレビカメラ本体２の３ピースタイプ色分解プリズム３光学系のガラス材質と同様のガラス材と、同一の光路長を有する直角プリズム９を使用し、分光プリズム４から反射した光学像を多機能カメラ６の撮像素子７上に結像し光電変換されるので、軸上色収差、倍率色収差及びディストーション等々に優れた高画質な映像信号を出力することができる。
【００２２】
図２において、多機能カメラ６の撮像素子７から光電変換され出力された静止画のアナログ映像信号の場合は、リレーレンズ８及び直角プリズム９を介して撮像素子７に結像した光学像は光電変換されて映像信号処理手段１１へ入力され、ガンマ補正等信号処理され、アナログ映像信号として出力端子１３へ出力される。一方ガンマ補正等信号処理されたアナログ信号はメモリカードスロット１０（図１参照）を備えた録画再生手段１２へ入力され、Ａ／Ｄ変換されてデジタル信号処理用の、例えば、１２ビットのＤＳＰ（Ｄｉｇｉｔａｌ  Ｓｉｇｎａｌ  Ｐｒｏｃｅｓｓｏｒ）により、静止画の画像圧縮標準であるＪＰＥＧに従って公知の技術により画像圧縮され、記録媒体である前記メモリカードに記録される。
【００２３】
同様に、多機能カメラ６の撮像素子７から光電変換され出力されたＨＤＴＶ等の動画像のアナログ映像信号の場合は、Ａ／Ｄ変換されてデジタル信号処理用の、例えば、１２ビットのＤＳＰにより、動画の画像圧縮標準であるＭＰＥＧに従って公知の技術により画像圧縮され、前記メモリカードスロット１０（図１参照）に装填されたメモリカードに記録される。
【００２４】
前記メモリカードは、例えば、コンパクトフラッシュカード（登録商標）、スマートメディア（登録商標）、マルチメディアカード（登録商標），ＳＤカード（登録商標）、メモリスティック（登録商標）等の半導体メモリ又は磁気カード、あるいは、他の記録媒体としてドライブ機構を備えた記憶容量の大きいハード・ディスクであってもよい。また、記録容量は、できればＨＤＴＶ画像が５分間以上記録できる容量のものが好ましい。
【００２５】
前記多機能カメラ６が、さらにそのカメラ筐体内部に超小型マイクロフォン１６を備え、前記メモリカードへ録画時に同時に音声を収録できるので、カメラ周辺の音、又はアナウンサーの解説など効果的な音声を画像と同時に収録することができる。
【００２６】
前記多機能カメラ６が、さらに前記メモリカードに記録された画像データ及び音声データを出力するためのデータ信号処理手段１７と、外部通信のためのインターフェース用ＵＳＢ（Ｕｎｉｖｅｒｓａｌ  Ｓｅｒｉａｌ  Ｂｕｓ）又はＩＥＥＥ１３９４等に対応するインターフェース用コネクタ１４を備えているので、専用ケーブルを使用して直接携帯電話機等に接続し電子メールとして即時に送信できる。
【００２７】
また、アナログ映像信号出力端子１３も配設されているので、プラグ付同軸ケーブルでテレビカメラ本体２の映像入力コネクタ３５（図３参照）に接続し、前記撮像素子７を毎秒３０フレームの画像が得られる高速ドラフトモードとして、ビューファインダ２３（図３参照）で多機能カメラ６の画像を表示できる。
さらに、アナログ映像信号出力端子１３に図示しない映像モニタ又はアナログ入力のビデオ機器を直接接続することもできる。
【００２８】
前記多機能カメラ６が、さらにその筐体に配設された小型コネクタを介して着脱自在で再充電可能な、例えば、リチュームイオン電池等の２次電池パック１５を備えているので、互換性のあるレンズマウントを備えた他のテレビカメラ本体２に本ズームレンズを装着するのみで、前記テレビカメラ本体２から電源を供給しなくても、多機能カメラ６として機能する。
【００２９】
なお、多機能カメラ６側に分光プリズム４で反射する角度は、テレビカメラ本体２側の光束中心に対し９０度の角度で反射することが好ましい。
また、分光プリズム４のテレビカメラ本体２側と多機能カメラ６側の光量比は多機能カメラ６が静止画用の、例えば、１００〜５００万画素の撮像素子７を備えた場合は、０．７：０．３程度にすることが好ましい。
さらに、多機能カメラ６がＨＤＴＶ用の、例えば、２００万画素の単板カラー撮像素子７を備えた場合の光量比は、０．５：０．５又は０．３：０．７程度にすることが好ましい。
【００３０】
さらにまた、多機能カメラが赤外光用の、例えば、２００万画素の撮像素子７を備えた場合は、分光プリズム４の反射面に赤外光領域の波長を反射し、可視光領域の波長を透過する干渉膜を形成し、それぞれの波長領域の光束を効率よく反射又は透過するようにすることが好ましい。
また、多機能カメラ６の超小型化を図り、ズーム制御ＢＯＸ２１（図３）内に収容することが好ましい。
【００３１】
図３において、前記ジャンクションユニット２２が、前記テレビカメラ本体２とビューファインダ２３間、前記テレビカメラ本体２とズームレンズ１間をそれぞれケーブル及びコネクタで中継し、かつ多機能カメラ６用ケーブルが接続され、前記テレビカメラ本体２からの電源の供給と、同期信号の授受と、前記メモリカードに対する録画・再生・停止等手段及び前記ビューファインダと外部へ送出する映像信号切替手段を備えている。
【００３２】
テレビカメラ本体２からジャンクションユニット２２を経由してビューファインダ（以後、ＶＦと記載する）２３が、ＶＦ用出力コネクタ３０とＶＦ中継入力用コネクタ３１接続ケーブル及びＶＦ中継出力用コネクタ２９とＶＦ入力コネクタ２８接続ケーブルで接続され、テレビカメラ本体２からＶＦに必要な映像信号、同期信号又は水平・垂直駆動信号等が供給される。
【００３３】
また、ズームレンズ１に対しても、テレビカメラ本体２からジャンクションユニット２２を経由して、レンズ用出力コネクタ３２とレンズ中継用入力コネクタ３３接続ケーブル及びレンズ中継用出力コネクタ２５とレンズ用入力コネクタ２４接続ケーブルで接続され、テレビカメラ本体２からズーム制御ＢＯＸ２１へズームレンズ１を制御するための電源等が供給される。
【００３４】
さらに、多機能カメラ６の多機能カメラ出力コネクタ２６と多機能カメラ入力コネクタ２７接続ケーブル及び映像出力コネクタ３４とテレビカメラ本体２の映像入力コネクタ３５接続ケーブルで多機能カメラ６が出力する前記撮像素子７を毎秒３０フレームの画像が得られる高速ドラフトモードとした、静止画像信号、ＨＤＴＶ画像信号又は赤外線画像信号のアナログ映像信号をテレビカメラ本体２を経由して外部へ送出することができる。
【００３５】
なお、多機能カメラ６自身にもアナログ映像信号出力端子１３があり、本出力端子１３に図示しない映像モニタ又はアナログ入力のビデオ機器を直接接続することができる。
【００３６】
メモリカードを使用しない場合でも、外部通信のためのインターフェース用コネクタ１４を備えているので、専用ケーブルを使用して直接携帯電話機等に接続し電子メールとして即時に送信することもできる。
【００３７】
さらにまた、ジャンクションユニット２２のトリガースイッチコネクタ３６のケーブルの先端にスイッチＢＯＸ３７を接続し、該スイッチＢＯＸ３７に配設された図示しない押しボタンスイッチにより多機能カメラ６の録画再生手段１２を制御している。このスイッチＢＯＸ３７には図示しない三脚のパン棒などに装着する取付金具があり、カメラマンの手元に配置することができる。
【００３８】
ジャンクションユニット２２のその他の機能として、テレビカメラ本体２からＶＦ用接続ケーブルで供給された映像同期複合信号、同期信号又は水平・垂直駆動信号等によって、多機能カメラ６を同期化するゲンロック機能とか、ゲンロックされた多機能カメラ６の画像をテレビカメラ本体２の画像中にはめ込む、いわゆるピクチャーインピクチャー機能とか、ＶＦ及び外部へ送出する映像を切り替える機能として、テレビカメラ本体２の映像信号と多機能カメラ６の映像信号と前記ピクチャーインピクチャーの映像信号の映像信号切替手段などを組み込むことが好ましい。
【００３９】
［実施例２］
図４において、本実施例では、多機能カメラ付ズームレンズ１の第４群と第５群のレンズ群間の大きなスペースを利用して全反射ミラー１９を配置し、被写体を撮像した光学像を前記テレビカメラ本体２の撮像素子５に結像する光束が全て通過するように全反射ミラー１９ａの位置とし、かつ被写体を撮像した光学像を前記多機能カメラ付ズームレンズ１の外部所定位置に装着された多機能カメラ６の撮像素子７に結像するために、図示しないミラー移動手段によって回転軸１８を中心として全反射ミラー１９を約４５度回転して全反射ミラー１９ｂ位置としている。
【００４０】
上記のように全反射ミラー１９を約４５度回転して全反射ミラー１９ｂの位置になったとき、図示しないマイクロスイッチが作動し、図３で説明したＶＦ及び外部へ送出するための映像信号切替手段が、多機能カメラの映像信号を優先して出力するように切り替える機能を有することが好ましい。
その他の構成と作用は実施例１と同様である。
【００４１】
【発明の効果】本願発明によれば、次のような効果が発揮される。
１．本願発明の請求項１の発明によれば、
前記多機能カメラが、静止画用又はハイデフィニションテレビジョン用又は赤外光用の撮像素子を備えたテレビカメラで、該テレビカメラから出力された映像信号の出力端子と、前記テレビカメラの画像データを着脱自在な記録媒体に録画・再生できる録画再生手段とを備えているので、例えば、高画質な静止画像又はハイデフィニションテレビジョン画像又は赤外光による暗視画像を着脱自在な前記記録媒体としてのメモリカードに録画し、携帯電話機を接続したパソコン又は携帯情報端末に前記メモリカードを装填し電子メールとして即時に送信できる。
【００４２】
また、分光プリズムを使用しているので、テレビカメラ本体の標準画像信号と、多機能カメラの出力画像信号が常時出力されるので、撮像チャンスを逃すことがない。
さらに、赤外光用の分光プリズムの反射面に赤外光領域の波長を反射し、可視光領域の波長を透過する干渉膜を形成しているので、それぞれ１００％近い光利用率となり、高感度化を図ることができる。
【００４３】
さらにまた、本多機能カメラ付ズームレンズは、互換性のあるレンズマウントを備えた他のテレビカメラに装着可能であり、本ズームレンズを装着したテレビカメラは、前述の通り直ちに高画質な静止画像又はハイデフィニションテレビジョン画像又は赤外光による暗視画像を撮像できる多機能カメラとなる。
【００４４】
２．本願発明の請求項２の発明によれば、
移動手段を有する全反射ミラーを使用しているので、それぞれの撮像素子にはズームレンズで撮像した被写体の光学像の光量が１００％近く入射するので高感度な画像信号を提供できる。
【００４５】
また、前記多機能カメラが、静止画用又はハイデフィニションテレビジョン用又は赤外光用の撮像素子を備えたテレビカメラで、該テレビカメラから出力された映像信号の出力端子と、前記テレビカメラの画像データを着脱自在な記録媒体に録画・再生できる録画再生手段とを備えているので、例えば、高画質な静止画像又はハイデフィニションテレビジョン画像又は赤外光による暗視画像を着脱自在な前記記録媒体としてのメモリカードに録画し、携帯電話機を接続したパソコン又は携帯情報端末に前記メモリカードを装填し電子メールとして即時に送信できる。
【００４６】
さらに、本多機能カメラ付ズームレンズは、互換性のあるレンズマウントを備えた他のテレビカメラに装着可能であり、本ズームレンズを装着したテレビカメラは、前述通り直ちに赤外光による高画質な暗視画像を撮像できる多機能カメラとなる。
【００４７】
３．本願発明の請求項３の発明によれば、
前記多機能カメラが、さらにそのカメラ筐体に超小型マイクロフォンを備え、前記記録媒体へ録画時に同時に音声を収録する音声収録手段を備えているので、画像に音声情報も加えて迫真の情報を伝達できる。
【００４８】
４．本願発明の請求項４の発明によれば、
前記多機能カメラが、さらに前記記録媒体に記録された画像データ及び音声データを出力するための信号処理手段と、外部通信のためのインターフェース用コネクタとを備えているので、ＵＳＢ又はＩＥＥＥ１３９４等の専用ケーブルを使用して直接携帯電話機等に接続し電子メールとして即時に送信できる。
【００４９】
５．本願発明の請求項５の発明によれば、
前記多機能カメラが、さらにその筐体に着脱自在な電池パックを備えているので、互換性のあるレンズマウントを備えた他のテレビカメラ本体に本ズームレンズを装着するのみで、前記テレビカメラ本体から電源を供給しなくても、多機能カメラから音声信号付画像信号を提供できる。
【００５０】
６．本願発明の請求項６の発明によれば、
前記ジャンクションユニットが、前記テレビカメラ本体とビューファインダ間、前記テレビカメラ本体とズームレンズ間をそれぞれケーブル及びコネクタで中継し、かつ多機能カメラ用ケーブルが接続され、前記テレビカメラ本体からの電源の供給と、同期信号の授受と、前記記録媒体に対する録画・再生・停止等手段と、前記ビューファインダ及び外部へ送出する映像信号切替手段とを備えているので、例えば、本ユニットをズームレンズ又はテレビカメラ本体に取り付ければレンズ操作と同時に適切な画像信号を監視でき、かつ適切な画像信号を送出できる。
【００５１】
７．本願発明の請求項７の発明によれば、
前記映像信号切替手段が、前記全反射ミラーの移動手段により第２のミラー位置に切り替えられた時、多機能カメラの映像信号を優先して送出する機能を備えているので、間違えて他の画像信号を出力することがなく、常に目的とした画像を送出することができる。
【図面の簡単な説明】
【図１】本願発明実施例１の分光プリズムを備えた多機能カメラ付ズームレンズの概略図。
【図２】同発明実施例の多機能カメラの回路ブロック図。
【図３】同発明実施例のジャンクションユニットと他機器とのケーブル接続図。
【図４】同発明実施例２の全反射ミラーを備えた多機能カメラ付ズームレンズの概略図。
【符号の説明】
１：多機能カメラ付ズームレンズ      ２：テレビカメラ本体
３：色分解プリズム                  ４：分光プリズム
５：撮像素子                        ６：多機能カメラ
７：撮像素子                        ８：リレーレンズ
９：直角プリズム                    １０：メモリカードスロット
１１：映像信号処理手段              １２：録画再生手段
１３：出力端子                      １４：インターフェース用コネクタ
１５：電池パック                    １６：超小型マイクロフォン
１７：データ信号処理手段            １８：回転軸
１９ａ：全反射ミラーの第１の位置    １９ｂ：全反射ミラーの第２の位置
２１：ズーム制御ＢＯＸ
２２：ジャンクションユニット        ２３：ビューファインダ
２４：レンズ用入力コネクタ          ２５：レンズ中継用出力コネクタ
２６：多機能カメラ出力コネクタ      ２７：多機能カメラ入力コネクタ
２８：ＶＦ入力コネクタ              ２９：ＶＦ中継用出力コネクタ
３０：ＶＦ用出力コネクタ            ３１：ＶＦ中継用入力コネクタ
３２：レンズ用出力コネクタ          ３３：レンズ中継用入力コネクタ
３４：映像出力コネクタ              ３５：映像入力コネクタ
３６：トリガースイッチコネクタ      ３７：トリガースイッチＢＯＸ
【図１】
2004304359.tif 000003
【図２】
2004304359.tif 000004
【図３】
2004304359.tif 000005
【図４】
2004304359.tif 000006